(57)【要約】【課題】手間を掛けることなく、コンパクトに保管することが可能な電気掃除機を提供する。【解決手段】電気掃除機１は、電動送風機３を内蔵した本体２と、この本体２に接続される吸込みホース５と、この吸込みホース５の先端に接続される吸込み管７と、この吸込み管７の先端に接続される吸込み口体８とを備える。吸込みホース５の本体接続部６近傍には、弾性湾曲部材２０が被せられている。弾性湾曲部材２０は、吸込みホース５に張力が作用しない時は、自然に湾曲した状態を維持しようとする。これにより、本体２と吸込み管７とを直立させて保管する場合、吸込みホース５を本体２周辺に集めることが可能となる。【選択図】      図１
2004187972.tif 000002
【特許請求の範囲】
【請求項１】
本体と、この本体に接続される吸込みホースと、この吸込みホースの先端に接続される吸込み管と、この吸込み管の先端に接続される吸込み口体とを備え、これらの各要素を接続状態に置いたまま、前記本体をその後端面で床面上に立てるとともに、立てた状態の本体側面に前記吸込み管を直立状態で係合させて保管時の態勢とする電気掃除機において、
前記吸込みホースには、前記本体に接続する付根部分に曲がり癖が付与されていることを特徴とする電気掃除機。
【請求項２】
前記曲がり癖は、前記保管時の態勢において、前記吸込みホース全体を前記本体側に収束させる方向に作用することを特徴とする請求項１に記載の電気掃除機。
【請求項３】
前記曲がり癖が、前記吸込みホースの前記本体と接続する付根部分に、弾性湾曲部材を被せることによって付与されることを特徴とする請求項２に記載の電気掃除機。
【請求項４】
前記曲がり癖が、前記吸込みホースの、前記本体と接続する付根部分と、前記吸込み管側へ離れた別の箇所とを、弾性部材にて接続することによって付与されることを特徴とする請求項２に記載の電気掃除機。
【請求項５】
前記曲がり癖が、前記吸込みホースの前記本体と接続する付根部分の内側に、弾性湾曲部材を備えることによって付与されることを特徴とする請求項２に記載の電気掃除機。
【請求項６】
前記弾性湾曲部材が、前記吸込みホースの、前記本体との接続部材と一体化して形成されることを特徴とする請求項５に記載の電気掃除機。
【請求項７】
前記弾性湾曲部材が、着脱可能に構成されることを特徴とする請求項５又は請求項６に記載の電気掃除機。
【発明の詳細な説明】
【０００１】
【発明の属する技術分野】
本発明は、電気掃除機に関する。特に、その後端面を床面上に立てた状態の本体側面に吸込み管を直立状態で係合させて保管時の態勢とする電気掃除機に関する。
【０００２】
【従来の技術】
従来、電気掃除機を保管する場合、本体後端面を下にして、吸込み管に設けた係止爪を、本体に設けた係止部に係合させ、本体と吸込み管とを直立状態にて保管時の態勢とする電気掃除機がある。このような電気掃除機の一例を図９に示す。
【０００３】
電気掃除機１は、電動送風機３及び集塵紙パック４を内蔵した本体２を備える。本体２には、吸込みホース５が、その付根部分である本体接続部６にて着脱自在に接続される。吸込みホース５の先端には、吸込み管７を介して、吸込み口体８が接続される。これにより、吸込み口体８から吸込み管７、吸込みホース５を経て本体２に至る吸気路が構成される。本体２内にて、吸込みホース５の開口は集塵紙パック４に導かれ、電動送風機３を駆動することによって集塵紙パック４内に塵埃が吸引される。７ａは、吸込み管７を操作して清掃するためのグリップである。
【０００４】
上記構成の電気掃除機１を不使用時に保管する場合、本体２及び吸込みホース５、吸込み管７、吸込み口体８の全てを接続したままで、本体２の後端面を下にして立て、吸込み管７に設けた係止爪９を、本体２に設けた係止部１０に係合させ、本体２と吸込み管７を直立させる。この場合、吸込み管７の上端の高さに比べ、吸込みホース５の長さが長いと、図９に示すように、吸込みホース５がＣ字状に大きく弛んでしまう。このため、弛んだ吸込みホース５が保管スペースを大きく占有する。また、見栄えも悪く、電気掃除機１が直立状態を維持するのに非常に不安定な態勢となってしまう。
【０００５】
上記のような問題に対し、本体に吸込みホースの保持部を設けた電気掃除機が提案されている（特許文献１参照）。
【０００６】
【特許文献１】
特開平１１−１７８７５７号公報
【０００７】
【発明が解決しようとする課題】
特許文献１記載の電気掃除機では、保管する度に、本体の吸込みホース保持部に吸込みホースを保持させる動作をする必要があり、手間が掛かり、たいへん不便である。
【０００８】
本発明は上記の点に鑑みなされたものであり、手間を掛けることなく、コンパクトに保管することが可能な電気掃除機を提供することを目的とする。
【０００９】
【課題を解決するための手段】
上記の課題を解決するため、本発明は、本体と、この本体に接続される吸込みホースと、この吸込みホースの先端に接続される吸込み管と、この吸込み管の先端に接続される吸込み口体とを備え、これらの各要素を接続状態に置いたまま、前記本体をその後端面で床面上に立てるとともに、立てた状態の本体側面に前記吸込み管を直立状態で係合させて保管時の態勢とする電気掃除機において、前記吸込みホースには、前記本体に接続する付根部分に曲がり癖が付与されていることとした。
【００１０】
この構成によれば、電気掃除機の保管する時等の不使用時のように、吸込みホースに張力が作用していない状態では、自然に吸込みホースが湾曲することになる。その結果、吸込みホースが弛んで広いスペースを占有することがなく、吸込みホースをコンパクトにまとめることが可能となる。また、曲がり癖が付与されている場所が、吸込みホースの本体に接続する付根部分のみであるので、使用者が吸込み管を操作して清掃する時に障害となることもない。
【００１１】
また、前記曲がり癖は、前記保管時の態勢において、前記吸込みホース全体を前記本体側に収束させる方向に作用することとした。
【００１２】
この構成によれば、電気掃除機の本体後端部を下にして直立状態で保管する時に、自然に吸込みホースを本体周辺で湾曲させて集めることができる。その結果、電気掃除機をコンパクトに保管することが可能となる。また、吸込みホースを本体周辺にまとめるための手間が不必要であり、たいへん便利である。
【００１３】
また、前記曲がり癖が、前記吸込みホースの前記本体と接続する付根部分に、弾性湾曲部材を被せることによって付与されることこととした。
【００１４】
この構成によれば、１部品付加するだけで、自然に吸込みホースが湾曲するようにすることができる。その結果、たいへん安価で、簡単に吸込みホースをコンパクトにまとめることが可能となる。
【００１５】
また、前記曲がり癖が、前記吸込みホースの、前記本体と接続する付根部分と、前記吸込み管側へ離れた別の箇所とを、弾性部材にて接続することによって付与されることとした。
【００１６】
この構成によれば、吸い込みホースや接続部周辺の構造に大きく依存することがないので、後付けで自然に吸込みホースが湾曲する構成を得ることができる。その結果、後付けの場合であっても、たいへん安価で、簡単に吸込みホースをコンパクトにまとめることが可能となる。
【００１７】
また、前記曲がり癖が、前記吸込みホースの前記本体と接続する付根部分の内側に、弾性湾曲部材を備えることによって付与されることとした。
【００１８】
この構成によれば、弾性湾曲部材を露出することなく、自然に吸込みホースが湾曲するようにすることができる。その結果、電気掃除機のデザインを損ねることがない。
【００１９】
また、前記弾性湾曲部材が、前記吸込みホースの、前記本体との接続部材と一体化して形成されることとした。
【００２０】
この構成によれば、これらを各々別個の部品として設ける必要がないので、部品点数を削減することが可能である。その結果、製造工程の削減やコストダウン、構造の簡素化が可能となる。
【００２１】
また、前記弾性湾曲部材が、着脱可能に構成されることとした。
【００２２】
この構成によれば、意図せず吸込みホース内にゴミが引っ掛かった場合でも、そのゴミを簡単に取り除くことができる。その結果、使用者が簡単にメンテナンスできるので、たいへん便利である。
【００２３】
【発明の実施の形態】
以下、本発明の実施形態を図に基づき説明する。
【００２４】
図１は、本発明の第１の実施形態に係る電気掃除機の保管状態を示す側面図である。電気掃除機１は、本体２と、電動送風機３と、吸込みホース５と、本体接続部６と、吸込み管７と、吸込み口体８と、係止爪９と、係止部１０とを有し、基本的構成は前記従来の電気掃除機と同じである。また、電気掃除機１には、吸込み管７にサイクロン式集塵装置１１が配置されるので、集塵紙パック４は備えられていない。
【００２５】
吸込みホース５に関し、従来の電気掃除機と異なる点としては、吸込みホース５の本体２と接続する付根部分に曲がり癖が付与されているという点を挙げることができる。曲がり癖を付与するために、前記吸込みホース５の本体接続部６近傍に、弾性湾曲部材２０が被せられている。この弾性湾曲部材２０は、ゴム、プラスチック等の弾力性を有する材料で構成され、伸びた時の長さが４０ｃｍである。弾性湾曲部材２０の弾力は、使用者が吸込み管７を操作することによって、吸込みホース５が簡単に、且つ真っ直ぐに伸びる程度に設定されている。弾性湾曲部材２０は、吸込みホース５に張力が作用しない時は、自然に湾曲した状態を維持しようとする。
【００２６】
この電気掃除機１において、本体２及び吸込みホース５、吸込み管７、吸込み口体８の全てを接続したままで、本体２の後端面を下にして立て、吸込み管７に設けた係止爪９を、本体２に設けた係止部１０に係合させ、本体２と吸込み管７を直立させて保管する場合、吸込みホース５に張力は作用しないので、図１に示すように、吸込みホース５の本体接続部６近傍が湾曲した状態を形成する。
【００２７】
図２は、図１に示す電気掃除機の使用状態を示す部分側面図である。電気掃除機１を使用する時には、通常、グリップ７ａを持って吸込み管７を操作する。この時、吸込みホース５には張力が作用する。弾性湾曲部材２０の弾力は使用者の操作の邪魔になる程度のものではなく、図２に示すように、吸込みホース５は真っ直ぐに伸びる。
【００２８】
このように、吸込みホース５の本体２と接続する付根部分に、曲がり癖を付与する弾性湾曲部材２０を被せることで、自然に吸込みホース５が本体２周辺で湾曲することになる。そのため、吸込みホース５が弛んで広いスペースを占有することがなく、吸込みホース５をコンパクトにまとめることが可能となる。また、吸込みホース５をまとめるための手間が不必要であり、たいへん便利である。さらに、弾性湾曲部材２０が被せられている場所が、吸込みホース５の本体２と接続する付根部分のみであるので、吸込み管７の操作の障害となることもない。
【００２９】
図３は、本発明の第２の実施形態に係る電気掃除機の保管状態を示す側面図である。電気掃除機１の基本的構成は、前記第１の実施形態と同じである。
【００３０】
第１の実施形態と異なる点として、次の点を挙げることができる。すなわち、吸込みホース５の本体２と接続する付根部分に曲がり癖を付与するために、吸込みホース５の本体接続部６近傍と、吸込み口管７側へ離れた別の箇所とを、弾性部材２１にて接続している。この弾性部材２１は、ゴム、プラスチック、金属等の弾力性を有する材料で構成され、伸びた時の長さが３５ｃｍである。弾性部材２１の弾力は、使用者が吸込み管７を操作することによって、吸込みホース５が簡単に、且つ真っ直ぐに伸びる程度に設定されている。弾性部材２１は、吸込みホース５に張力が作用しない時は、自然に縮んで吸込みホース５の湾曲した状態を維持しようとする。第１の実施形態と同様に、電気掃除機１の本体２と吸込み管７を直立させて保管する場合、吸込みホース５に張力は作用しないので、図３に示すように、吸込みホース５の本体接続部６近傍が湾曲した状態を形成する。
【００３１】
図４は、図３に示す電気掃除機の使用状態を示す部分側面図である。電気掃除機１を使用する時には、弾性部材２１の弾力は使用者の操作の邪魔になる程度のものではないので、吸込みホース５は真っ直ぐに伸びる。この弾性部材２１は、吸込みホース５や本体接続部６周辺の構造に大きく依存することがないので、後付けで自然に吸込みホース５が湾曲する構成を得ることができる。そのため、後付けの場合であっても、たいへん安価で、簡単に吸込みホース５をコンパクトにまとめることが可能となる。
【００３２】
図５は、本発明の第３の実施形態に係る電気掃除機の保管状態を示す要部断面側面図である。電気掃除機１の基本的構成は、前記第１及び第２の実施形態と同じである。
【００３３】
第１及び第２の実施形態と異なる点として、次の点を挙げることができる。すなわち、吸込みホース５の本体２と接続する付根部分に曲がり癖を付与するために、吸込みホース５の本体接続部６近傍の内側に、弾性湾曲部材２２を備える。本体接続部６の内側には、吸込みホース５を本体２と接続する時に、電気掃除機１内の吸気路と接続する本体接続部材６１を備える。この本体接続部材６１の吸込み管側に弾性湾曲部材２２を備える。この弾性湾曲部材２２は、ゴム、プラスチック、金属等の弾力性を有する材料で構成され、伸びた時の長さが４０ｃｍである。弾性湾曲部材２２の弾力は、使用者が吸込み管７を操作することによって、吸込みホース５が簡単に、且つ真っ直ぐに伸びる程度に設定されている。弾性湾曲部材２２は、吸込みホース５に張力が作用しない時は、自然に湾曲した状態を維持しようとする。第１及び第２の実施形態と同様に、電気掃除機１の本体２と吸込み管７を直立させて保管する場合、吸込みホース５に張力は作用しないので、図５に示すように、吸込みホース５の本体接続部６近傍が湾曲した状態を形成する。
【００３４】
図６は、図５に示す電気掃除機の使用状態を示す要部断面部分側面図である。電気掃除機１を使用する時には、弾性湾曲部材２２の弾力は使用者の操作の邪魔になる程度のものではないので、吸込みホース５は真っ直ぐに伸びる。この弾性湾曲部材２２は、吸込みホース５に内蔵されて露出することがないので、電気掃除機１のデザインを損ねることなく、自然に吸込みホース５を湾曲させることが可能である。
【００３５】
図７は、本発明の第４の実施形態に係る電気掃除機の弾性湾曲部材を示す断面図である。弾性湾曲部材２３は、前記第３の実施形態における本体接続部材６１と一体化して形成され、本体接続部６に内蔵されている。このため、これらを各々別個の部品として設ける必要がないので、部品点数を削減することが可能である。
【００３６】
図８は、本発明の第５の実施形態に係る電気掃除機の弾性湾曲部材を示す断面図である。弾性湾曲部材２４は、前記第４の実施形態と同様に本体接続部６の本体接続部材６１と一体化して形成され、本体接続部６に内蔵されている。
【００３７】
この弾性湾曲部材２４は、本体接続部６の本体２側の開口６ａから、一体化して形成された本体接続部材６１とともに着脱が可能である。弾性湾曲部材２４の弾力は、使用者が引っ張ることによって、簡単に、且つ真っ直ぐに伸びる程度に設定されているので、本体接続部６の開口６ａから、弾性湾曲部材２４を簡単に引き出すことができる。取り付ける時は、弾性湾曲部材２４の湾曲部分を先にして本体接続部６に挿入し、装着する。このため、意図せず弾性湾曲部材２４にゴミが引っ掛かった場合でも、簡単にメンテナンスが可能である。なお、弾性湾曲部材２４は、本体接続部６の本体接続部材６１と一体化せず、別個の部品としても構わない。
【００３８】
なお、吸込みホース５より上流側に集塵部、例えばサイクロン式集塵装置１１が設けられている構成の場合は、このように吸込みホース５の内側に弾性湾曲部材２４を設けても、弾性湾曲部材２４にゴミが引っ掛かることを心配する必要がない。
【００３９】
また、前記第１及び第２の実施形態のように、弾性湾曲部材を吸込みホース５の外側に備えることによって、ゴミが吸込みホース５内を通ることへの妨げにならないので、通常の集塵紙パック４を用いた電気掃除機１、或いはサイクロン式集塵装置１１を本体２内に備えた電気掃除機１でも本発明が適用可能である。
【００４０】
上記のように本発明の実施形態を示したが、この他、発明の主旨を逸脱しない範囲で種々の変更を加えて実施することができる。
【００４１】
【発明の効果】
本発明の上記の構成によれば、吸込みホースには、本体と接続する付根部分に曲がり癖が付与されているので、電気掃除機の本体後端部を下にして直立状態で保管する時に、自然に吸込みホースを本体周辺で湾曲させて集めることができる。その結果、電気掃除機をコンパクトに保管することが可能となる。また、吸込みホースを本体周辺にまとめるための手間が不必要であり、たいへん便利である。
【図面の簡単な説明】
【図１】本発明の第１の実施形態に係る電気掃除機の保管状態を示す側面図
【図２】図１に示す電気掃除機の使用状態を示す部分側面図
【図３】本発明の第２の実施形態に係る電気掃除機の保管状態を示す側面図
【図４】図３に示す電気掃除機の使用状態を示す部分側面図
【図５】本発明の第３の実施形態に係る電気掃除機の保管状態を示す要部断面側面図
【図６】図５に示す電気掃除機の使用状態を示す要部断面部分側面図
【図７】本発明の第４の実施形態に係る電気掃除機の弾性湾曲部材を示す断面図
【図８】本発明の第５の実施形態に係る電気掃除機の弾性湾曲部材を示す断面図
【図９】従来の電気掃除機の保管状態を示す側面図
【符号の説明】
１    電気掃除機
２    本体
５    吸込みホース
６    ホース接続部
７    吸込み管
９    係止爪
１０    係止部
１１  サイクロン式集塵装置
２０、２２、２３、２４  弾性湾曲部材
２１  弾性部材
【図１】
2004187972.tif 000003
【図２】
2004187972.tif 000004
【図３】
2004187972.tif 000005
【図４】
2004187972.tif 000006
【図５】
2004187972.tif 000007
【図６】
2004187972.tif 000008
【図７】
2004187972.tif 000009
【図８】
2004187972.tif 000010
【図９】
2004187972.tif 000011